(57)【要約】【課題】  ｍｉｃｒｏＳＤカードの外部の寸法と端子部の規格をメモリースティック（プロ）デュオに転換するメモリーカードアダプタをを提供すること。【解決手段】  下蓋と、上蓋と、ホストとを含むメモリーカードアダプタであって、前記下蓋と前記上蓋を合わせて重ねた後、その外部の寸法と端子部の規格がメモリースティックデュオもしくはメモリースティックプロデュオの外部の寸法と端子部の規格と同一になり、その内部に所定のメモリーカードを収容する空間を有し、前記ホストは前記下蓋と前記上蓋の間に設けられるとともに、前記所定のメモリーカードとメモリースティックデュオもしくはメモリースティックプロデュオの信号を転換し、前記所定のメモリーカードはｍｉｃｒｏＳＤカードを含むことを特徴とするメモリーカードアダプタ。【選択図】  図１
0003129844.tif 000002
【実用新案登録請求の範囲】
【請求項１】
下蓋と、上蓋と、ホストとを含むメモリーカードアダプタであって、前記下蓋と前記上蓋を合わせて重ねた後、その外部の寸法と端子部の規格がメモリースティックデュオもしくはメモリースティックプロデュオの外部の寸法と端子部の規格と同一になり、その内部に所定のメモリーカードを収容する空間を有し、前記ホストは前記下蓋と前記上蓋の間に設けられるとともに、前記所定のメモリーカードとメモリースティックデュオもしくはメモリースティックプロデュオの信号を転換し、前記所定のメモリーカードはｍｉｃｒｏＳＤカードを含むことを特徴とするメモリーカードアダプタ。
【請求項２】
前記ホストは、異なるメモリーカードの信号を転換する制御チップとパッシブ素子が設けられる基板と、複数のコネクタと、前記コネクタに連接し前記コネクタを前記基板に半田付けた後で切り離す連接部と、射出成形によって前記コネクタの中央部に成形される固定部とを有し、前記基板に電気的に接続されるコネクタ部と、基板に設けられる端子と、細長く形成されるとともにその一端が前記基板の側辺に固定され、その他端にｍｉｃｒｏＳＤカードの側辺の凹部に嵌め込む突起を有する弾性体とを含み、前記コネクタ部でｍｉｃｒｏＳＤカードの端子部に接続して、前記端子で前記メモリーカードアダプタが挿入される電子機器に接続し、前記ホストによって異なるメモリーカードの信号を転換して転送することを特徴とする請求項１に記載のメモリーカードアダプタ。
【請求項３】
前記下蓋は、前記下蓋の一角に設けられる誤装着防止部と、前記誤装着防止部と同じ側の前記下蓋の長辺の中央部に設けられる凹部と、前記下蓋の下側の中央部に設けられる切り口と、前記切り口から挿入されるｍｉｃｒｏＳＤカードを収容する下蓋第１スペースと、前記下蓋第１スペースよりも前記下蓋の内部に設けられ前記ホストのコネクタ部と挿入されるｍｉｃｒｏＳＤカードの端子部を収容する下蓋第２スペースと、さらに前記下蓋第２スペースよりも前記下蓋の内部に設けられ前記ホストの基板を収容する下蓋第３スペースと、前記下蓋第３スペースの上方に配列され前記ホストの端子部を露出させる複数の端子槽と、前記下蓋第１スペースと下蓋第２スペースに隣接して前記下蓋の側辺に設けられるとともにその中央部には前記弾性体を前記下蓋第１スペースと下蓋第２スペースの方向に押さえる押圧部と、その下部には前記弾性体の突起に合わせる位置に前記弾性体の突起を突出させるための欠け口とを有する前記弾性体を収容する弾性体槽とを含むことを特徴とする請求項２に記載のメモリーカードアダプタ。
【請求項４】
前記下蓋第２スペースの高さは前記下蓋第１スペースの高さより小さいことを特徴とする請求項３に記載のメモリーカードアダプタ。
【請求項５】
前記下蓋第１スペースは、さらに前記下蓋第１スペースの側辺の中央部に設けられるとともに挿入されるｍｉｃｒｏＳＤカードの誤装着防止部に対応して正確な挿入方向を案内する内誤装着防止部と、前記下蓋第１スペースの他の側辺に設けられｍｉｃｒｏＳＤカードを案内して挿入させる縁部とを含むことを特徴とする請求項３に記載のメモリーカードアダプタ。
【請求項６】
前記下蓋と対応して、前記上蓋は、前記上蓋の一角に設けられる誤装着防止部と、前記誤装着防止部と同じ側の前記上蓋の長辺の中央部に設けられる凹部と、前記上蓋の下側の中央部に設けられ円弧凹部を形成する切り口と、前記切り口から挿入されるｍｉｃｒｏＳＤカードを収容する上蓋第１スペースと、前記上蓋第１スペースよりも前記上蓋の内部に設けられ前記ホストの基板を収容する上蓋第２スペースと、前記上蓋第１スペースに隣接して前記上蓋の側辺に設けられるとともに、その中央部に前記弾性体を前記上蓋第１スペースの方向に押さえる押圧部と、その下部に前記弾性体の突起に合わせる位置に前記弾性体の突起を突出させるための欠け口とを有する前記弾性体を収容する弾性体槽とを含むことを特徴とする請求項２に記載のメモリーカードアダプタ。
【請求項７】
前記上蓋第１スペースは、さらに前記上蓋第１スペースの側辺の中央部に設けられるとともに挿入されるｍｉｃｒｏＳＤカードの誤装着防止部に対応して正確な挿入方向を案内する内誤装着防止部と、前記上蓋第１スペースの他の側辺に設けられｍｉｃｒｏＳＤカードを案内して挿入させる縁部とを含むことを特徴とする請求項６に記載のメモリーカードアダプタ。
【請求項８】
それぞれ前記下蓋と前記上蓋の左右側に形成され、前記下蓋と前記上蓋を組み合わせるための下蓋周縁と上蓋周縁を含むことを特徴とする請求項１に記載のメモリーカードアダプタ。
【請求項９】
前記所定のメモリーカードはトランスフラッシュカード（登録商標）であることを特徴とする請求項１に記載のメモリーカードアダプタ。
【考案の詳細な説明】
【技術分野】
【０００１】
本考案はメモリーカードアダプタに関し、特にｍｉｃｒｏＳＤカードの外部の寸法と端子部の規格を、メモリースティックデュオもしくはメモリースティックプロデュオの外部の寸法と端子部の規格に転換するメモリーカードアダプタに関するものである。なお、メモリースティックデュオおよびメモリースティックプロデュオの互いの外部の寸法と端子部の規格は同一のため、以下では、ふたつを併せて「メモリースティック（プロ）デュオ」と記載する。
【背景技術】
【０００２】
現在、世には多種類のメモリーカードが使用されている、例えばｍｉｃｒｏＳＤカード，トランスフラッシュ（登録商標、以下同じ），メモリースティック（プロ）デュオなどがある。使用者が新たに電子機器を購入するときに、手持ちのメモリーカードの種類を確認して、できるだけ同じ種類のメモリーカードが使用できれば問題はないが、一つの電子機器が全種類のメモリーカードに対応できるとは限らないため、他種類のメモリーカードを購入する必要の場合があって、使用者にとって不便である。
【０００３】
前記状況を改善するために、異なる種類のメモリーカードが使用できるようにメモリーカードアダプタが生産されている（特許文献１、２、３）。しかし、世にはまだｍｉｃｒｏＳＤカードの外部の寸法と端子部の規格をメモリースティック（プロ）デュオに転換するメモリーカードアダプタが存在していない。
【０００４】
【特許文献１】特開２０００−３５７２０９
【特許文献２】特開２００２−３２７１５
【特許文献３】特開２００５−１１５７６１
【考案の開示】
【考案が解決しようとする課題】
【０００５】
そのため、本考案はｍｉｃｒｏＳＤカードの外部の寸法と端子部の規格をメモリースティック（プロ）デュオに転換するメモリーカードアダプタを提供することを課題とする。
【課題を解決するための手段】
【０００６】
本考案は、上記課題を解決するものであり、下蓋と、上蓋と、ホストとを含むメモリーカードアダプタであって、前記下蓋と前記上蓋を合わせて重ねた後、その外部の寸法と端子部の規格がメモリースティックデュオもしくはメモリースティックプロデュオの外部の寸法と端子部の規格と同一になり、その内部に所定のメモリーカードを収容する空間を有し、前記ホストは前記下蓋と前記上蓋の間に設けられるとともに、前記所定のメモリーカードとメモリースティックデュオもしくはメモリースティックプロデュオの信号を転換し、前記所定のメモリーカードはｍｉｃｒｏＳＤカードを含むことを特徴とするメモリーカードアダプタである。
【０００７】
また、前記ホストは、異なるメモリーカードの信号を転換する制御チップとパッシブ素子が設けられる基板と、複数のコネクタと、前記コネクタに連接し前記コネクタを前記基板に半田付けた後で切り離す連接部と、射出成形によって前記コネクタの中央部に成形される固定部とを有し、前記基板に電気的に接続されるコネクタ部と、基板に設けられる端子と、細長く形成されるとともにその一端が前記基板の側辺に固定され、その他端にｍｉｃｒｏＳＤカードの側辺の凹部に嵌め込む突起を有する弾性体とを含み、前記コネクタ部でｍｉｃｒｏＳＤカードの端子部に接続して、前記端子で前記メモリーカードアダプタが挿入される電子機器に接続し、前記ホストによって異なるメモリーカードの信号を転換して転送することを特徴とする。
【０００８】
また、前記下蓋は、前記下蓋の一角に設けられる誤装着防止部と、前記誤装着防止部と同じ側の前記下蓋の長辺の中央部に設けられる凹部と、前記下蓋の下側の中央部に設けられる切り口と、前記切り口から挿入されるｍｉｃｒｏＳＤカードを収容する下蓋第１スペースと、前記下蓋第１スペースよりも前記下蓋の内部に設けられ前記ホストのコネクタ部と挿入されるｍｉｃｒｏＳＤカードの端子部を収容する下蓋第２スペースと、さらに前記下蓋第２スペースよりも前記下蓋の内部に設けられ前記ホストの基板を収容する下蓋第３スペースと、前記下蓋第３スペースの上方に配列され前記ホストの端子部を露出させる複数の端子槽と、前記下蓋第１スペースと下蓋第２スペースに隣接して前記下蓋の側辺に設けられるとともにその中央部には前記弾性体を前記下蓋第１スペースと下蓋第２スペースの方向に押さえる押圧部と、その下部には前記弾性体の突起に合わせる位置に前記弾性体の突起を突出させるための欠け口とを有する前記弾性体を収容する弾性体槽とを含むことを特徴とする。
【０００９】
また、前記下蓋第２スペースの高さは前記下蓋第１スペースの高さより小さいことを特徴とする。
【００１０】
また、前記下蓋第１スペースは、さらに前記下蓋第１スペースの側辺の中央部に設けられるとともに挿入されるｍｉｃｒｏＳＤカードの誤装着防止部に対応して正確な挿入方向を案内する内誤装着防止部と、前記下蓋第１スペースの他の側辺に設けられｍｉｃｒｏＳＤカードを案内して挿入させる縁部とを含むことを特徴とする。
【００１１】
また、前記下蓋と対応して、前記上蓋は、前記上蓋の一角に設けられる誤装着防止部と、前記誤装着防止部と同じ側の前記上蓋の長辺の中央部に設けられる凹部と、前記上蓋の下側の中央部に設けられ円弧凹部を形成する切り口と、前記切り口から挿入されるｍｉｃｒｏＳＤカードを収容する上蓋第１スペースと、前記上蓋第１スペースよりも前記上蓋の内部に設けられ前記ホストの基板を収容する上蓋第２スペースと、前記上蓋第１スペースに隣接して前記上蓋の側辺に設けられるとともに、その中央部には前記弾性体を前記上蓋第１スペースの方向に押さえる押圧部と、その下部には前記弾性体の突起に合わせる位置に前記弾性体の突起を突出させるための欠け口とを有する前記弾性体を収容する弾性体槽とを含むことを特徴とする。
【００１２】
また、前記上蓋第１スペースは、さらに前記上蓋第１スペースの側辺の中央部に設けられるとともに挿入されるｍｉｃｒｏＳＤカードの誤装着防止部に対応して正確な挿入方向を案内する内誤装着防止部と、前記上蓋第１スペースの他の側辺に設けられｍｉｃｒｏＳＤカードを案内して挿入させる縁部とを含むことを特徴とする。
【００１３】
また、それぞれ前記下蓋と前記上蓋の左右側に形成され、前記下蓋と前記上蓋を組み合わせるための下蓋周縁と上蓋周縁を含むことを特徴とする。
【００１４】
また、前記所定のメモリーカードはトランスフラッシュカードであることを特徴とする。
【考案の効果】
【００１５】
本考案のメモリーカードアダプタは、ｍｉｃｒｏＳＤカードの外部の寸法と端子部の規格を、メモリースティック（プロ）デュオの外部の寸法と端子部の規格に転換することが出来る。
【考案を実施するための最良の形態】
【００１６】
以下、本発明の結束補助器具の一実施態様を、図面に基づいて具体的に説明する。なお、本発明はこれら実施態様に何ら制約されるものではない。なお、説明中の上下左右の方向ついては図面に示す方向を基準とする、例えば図３に示すように、端子槽２８は下蓋２０の上方に設けられる。その他の方向と位置関係は同じように自明であり、説明を省略する。
【００１７】
図１に示すように、本考案に係るメモリーカードアダプタはホスト１０と、下蓋２０と、上蓋３０とを含み、下蓋２０と上蓋３０を合わせて重ねた後、外部の寸法と端子部の規格がメモリースティック（プロ）デュオの外部の寸法と端子部の規格と同一になる。ホスト１０は下蓋２０と上蓋３０の間に設けられ、ｍｉｃｒｏＳＤカードとメモリースティック（プロ）デュオの信号を転換する。
【００１８】
図２に示すように、ホスト１０は、コネクタ部１６と、基板１７と、端子１８と、弾性体１９とを含む。基板１７には異なるメモリーカードの信号を転換するための制御チップとパッシブ素子が設けられる。コネクタ部１６は、複数のコネクタ１６１と、連接部１６２と、固定部１６３とを有し、コネクタ１６１と連接部１６２は連接されている金具であり、固定部１６３はプラスチックで射出成形によってコネクタ１６１の中央部に成形される。固定部１６３は、複数のコネクタ１６１の位置を固定することの他、コネクタ部１６を基板１７に半田付けるときに、半田がコネクタ１６１の端部に流れることを防止し、各コネクタ１６１がショートすることを防止することができる。複数のコネクタ１６１が基板１７の回路パターンに半田付けられた後で連接部１６２を切り離してそれぞれ独立のコネクタ１６１になる。端子１８は基板１７に設けられて、コネクタ部１６でｍｉｃｒｏＳＤカードの端子部に接続して、端子１８でメモリーカードアダプタが挿入される電子機器に接続し、ホスト１０によって異なるメモリーカードの信号を転換して転送する。弾性体１９は、細長く形成され、一端が基板１７の側辺に固定され、他端にｍｉｃｒｏＳＤカードの側辺の凹部に嵌め込む突起１９２を有する。
【００１９】
図３と図４に示すように、下蓋２０の一角に誤装着防止部２２が設けられ、メモリーカードアダプタを電子機器に挿入するときに、電子機器に設けられた凸部に嵌め合う凹部２３が誤装着防止部２２と同じ側の下蓋２０の長辺の中央部に設けられる。下蓋２０の下側の中央部に切り口２４が設けられ、切り口２４から下蓋２０の内部にかけて、下蓋第１スペース２５、下蓋第２スペース２６、下蓋第３スペース２７が順番に設けられる。切り口２４から挿入されるｍｉｃｒｏＳＤカードが下蓋第１スペース２５に収容される。コネクタ部１６と挿入されるｍｉｃｒｏＳＤカードの端子部が下蓋第２スペース２６にて接続して収容される。ホスト１０の基板１７が下蓋第３スペース２７に収容される。コネクタ部１６と挿入されるｍｉｃｒｏＳＤカードの端子部の接続をよくするため、下蓋第２スペース２６の高さを下蓋第１スペース２５の高さより小さくすることが好ましい、例えば、下蓋第２スペース２６の高さを０．２ｍｍにするのに対し、下蓋第１スペース２５の高さを０．２５ｍｍとする。下蓋第３スペース２７の上方に、ホスト１０の端子１８を露出させ、電子機器に接続させる複数の端子槽２８が配列される。下蓋第１スペース２５と下蓋第２スペース２６に隣接して下蓋２０の側辺に弾性体１９を収容するための弾性体槽２９が設けられる。弾性体槽２９は、中央部に弾性体１９を下蓋第１スペース２５と下蓋第２スペース２６の方向に押さえる押圧部２９１と、下部に弾性体１９の突起１９２に合わせる位置に弾性体１９の突起１９２を下蓋第１スペース２５に突出させるための欠け口２９２とを有する。
【００２０】
図５と図６に示すように、下蓋２０と対応して、上蓋３０の一角に誤装着防止部３２が設けられ、メモリーカードアダプタを電子機器に挿入するときに、電子機器に設けられた凸部に嵌め合う凹部３３が誤装着防止部３２と同じ側の上蓋３０の長辺の中央部に設けられる。上蓋３０の下側の中央部に切り口３４が設けられ、挿入されるｍｉｃｒｏＳＤカードを抜きやすくし、また挿入されるｍｉｃｒｏＳＤカード端部の突起を収容するために、円弧凹部３４１が切り口３４に形成される。切り口３４から上蓋３０の内部にかけて、上蓋第１スペース３５、上蓋第２スペース３７が順番に設けられる。切り口３４から挿入されるｍｉｃｒｏＳＤカードが上蓋第１スペース３５に収容される。ホスト１０の基板１７が上蓋第２スペース３７に収容される。上蓋第１スペース３５と上蓋第２スペース３７に隣接して上蓋３０の側辺に弾性体１９を収容するための弾性体槽３９が設けられる。弾性体槽３９は、中央部に弾性体１９を上蓋第１スペース３５の方向に押さえる押圧部３９１と、下部に弾性体１９の突起１９２に合わせる位置に弾性体１９の突起１９２を上蓋第１スペース３５に突出させるための欠け口３９２とを有する。
【００２１】
下蓋２０と上蓋３０を組み合わせると、下蓋第３スペース２７と上蓋第２スペース３７がホスト１０を収容する空間になり、下蓋第１スペース２５，下蓋第２スペース２６及び上蓋第１スペース３５がｍｉｃｒｏＳＤカードを収容する空間になり、弾性体槽２９，３９が弾性体１９を収容する空間になる。下蓋第１スペース２５と上蓋第１スペース３５に、それぞれ内誤装着防止部２５１，３５１と縁部２５２，３５２が対応的に設けられる。内誤装着防止部２５１，３５１はそれぞれ下蓋第１スペース２５と上蓋第１スペース３５の側辺の中央部に設けられ、挿入されるｍｉｃｒｏＳＤカードの誤装着防止部に対応して、正確な挿入方向を案内する。縁部２５２，３５２はそれぞれ下蓋第１スペース２５と上蓋第１スペース３５の他の側辺に設けられ、ｍｉｃｒｏＳＤカードを案内してメモリーカードアダプタに挿入させる。メモリーカードアダプタに挿入されるメモリーカードが欠け口２９２、３９２から突出する弾性体１９の突起１９２に接触するとき、欠け口２９２、３９２に入るように突起１９２を押さえて、メモリーカードの側辺の凹部が欠け口２９２、３９２の位置に来るときに、弾性体１９の弾性によって突起１９２を欠け口２９２、３９２から突出してメモリーカードの凹部に嵌入させて、メモリーカードとアダプタの結合を安定させる。また、上蓋第１スペース３５はさらに切り口３４の対面する位置にエンド部３５３が設けられ、内誤装着防止部２５１，３５１とあわせて、メモリーカードの挿入深度を制限して、コネクタ部１６とメモリーカードの端子部の接続をよくさせる。また、下蓋２０と上蓋３０の左右側にそれぞれの下蓋周縁２１と上蓋周縁３１が形成される。下蓋２０と上蓋３０の組み合わせる方法として、超音波溶接によって下蓋周縁２１と上蓋周縁３１を接合する、または下蓋周縁２１と上蓋周縁３１に突起と溝を設けて嵌め合わせるや接着剤によって接着するなどの方法が挙がられる。
【００２２】
また、ｍｉｃｒｏＳＤカードとトランスフラッシュは受容性のあるメモリーカードであるため、本考案に係るメモリーカードアダプタはｍｉｃｒｏＳＤカードの外部の寸法と端子部の規格をメモリースティック（プロ）デュオの外部の寸法と端子部の規格に転換できるだけでなく、トランスフラッシュカードの外部の寸法と端子部の規格をメモリースティック（プロ）デュオの外部の寸法と端子部の規格に転換することもできる。
【００２３】
本考案によれば、ｍｉｃｒｏＳＤカードやトランスフラッシュの外部の寸法と端子部の規格をメモリースティック（プロ）デュオの外部の寸法と端子部の規格に転換することができるため、異なる種類のメモリーカードのデータ処理には便利である。
【図面の簡単な説明】
【００２４】
【図１】本考案に係るメモリーカードアダプタの分解斜視図。
【図２】本考案に係るメモリーカードアダプタのホストの平面図及びＡ−Ａの間の断面図。
【図３】本考案に係るメモリーカードアダプタの下蓋の斜視図。
【図４】本考案に係るメモリーカードアダプタの下蓋の他の視点の斜視図。
【図５】本考案に係るメモリーカードアダプタの上蓋の斜視図。
【図６】本考案に係るメモリーカードアダプタの上蓋の他の視点の斜視図。
【符号の説明】
【００２５】
１０  …  …  ホスト
１６  …  …  コネクタ部
１６１  …  …  コネクタ
１６２  …  …  連接部
１６３  …  …  固定部
１７  …  …  基板
１８  …  …  端子
１９  …  …  弾性体
１９２  …  …  突起
２０  …  …  下蓋
２１  …  …  下蓋周縁
２２  …  …  誤装着防止部
以    上
【図１】
0003129844.tif 000003
【図２】
0003129844.tif 000004
【図３】
0003129844.tif 000005
【図４】
0003129844.tif 000006
【図５】
0003129844.tif 000007
【図６】
0003129844.tif 000008